(57)【要約】【課題】新たに視聴したい放送に対応するチューナをデジタル放送受信機に簡単に接続でき、容易に視聴することができるデジタル放送受信機及びカード型チューナを提供すること。【解決手段】インタフェース部と、フロントエンド部と、制御部と、バックエンド部から構成されるデジタル放送受信機であって、ＰＣＭＣＩＡの規格に従った配列および形状を有するインタフェース部に、ピンと電極部を複数個設ける。【選択図】　　図２
2004056371.tif 000002
【特許請求の範囲】
【請求項１】
インタフェース部と、フロントエンド部と、制御部と、バックエンド部から構成されるデジタル放送受信機であって、
ＰＣＭＣＩＡの規格に従った配列および形状を有するインタフェース部に、ピンと電極部を複数個設けたことを特徴とするデジタル放送受信機。
【請求項２】
請求項１に記載されたデジタル放送受信機において、
複数個のピンを２列に設けると共に、両列の４つのピンの真ん中に電極部を設けたことを特徴とするデジタル放送受信機。
【請求項３】
インタフェース部と、フロントエンド部と、制御部と、バックエンド部から構成されるデジタル放送受信機であって、
ＰＣＭＣＩＡの規格に従った配列および形状を有するインタフェース部に、ピンと嵌合穴を交互に複数個設けたことを特徴とするデジタル放送受信機。
【請求項４】
インタフェース部と、フロントエンド部と、制御部と、バックエンド部から構成されるデジタル放送受信機であって、
ＰＣＭＣＩＡの規格に従った配列および形状を有するインタフェース部に、１つ以上の絶縁体を介して複数の接合部を設けたピンを複数個設けたことを特徴とするデジタル放送受信機。
【請求項５】
請求項１乃至請求項４に記載されたデジタル放送受信機において、
デジタル放送受信機自身が受けたアンテナからの放送信号をフロントエンド部を介してインタフェース部に送信することを特徴とするデジタル放送受信機。
【請求項６】
コネクタ部と、チューナ回路と、デジタル信号出力回路から構成されるカード型チューナであって、
ＰＣＭＣＩＡの規格に従った配列および形状を有するコネクタ部に、嵌合穴と電極部を交互に複数個設けたことを特徴とするカード型チューナ。
【請求項７】
請求項６に記載されたカード型チューナにおいて、
複数個の嵌合穴を２列に設けると共に、両列の４つの嵌合穴の真ん中に電極部を設けたことを特徴とするカード型チューナ。
【請求項８】
コネクタ部と、チューナ回路と、デジタル信号出力回路から構成されるカード型チューナであって、
ＰＣＭＣＩＡの規格に従った配列および形状を有するコネクタ部に、ピンと嵌合穴を交互に複数個設けたことを特徴とするカード型チューナ。
【請求項９】
コネクタ部と、チューナ回路と、デジタル信号出力回路から構成されるカード型チューナであって、
ＰＣＭＣＩＡの規格に従った配列および形状を有するコネクタ部に、１つ以上の絶縁体を介して複数の接合部を設けた嵌合穴を複数個設けたことを特徴とするカード型チューナ。
【請求項１０】
請求項６乃至請求項９に記載されたカード型チューナにおいて、
アンテナからの放送信号を受ける外部入力端子を設けたことを特徴とするカード型チューナ。
【発明の詳細な説明】
【０００１】
【発明の属する技術分野】
本発明は，放送を受信し視聴を行うデジタル放送受信機に関し、特に複数の放送が受信可能なデジタル放送受信機に関する。
【０００２】
【従来の技術】
従来、視聴したいデジタル放送を受信するには、そのデジタル放送に対応するチューナを内臓するデジタル放送受信機を準備するか、又は、そのチューナは内臓しないデジタル放送受信機と別に、そのデジタル放送に対応する専用のチューナを準備し接続することが行われている。
【０００３】
例えば、デジタルＢＳ放送を視聴したい場合、デジタルＢＳチューナを内蔵したデジタル放送受信機を準備することで可能であるが、デジタルＢＳチューナを内蔵しないデジタル放送受信機しか持たない人にとっては、デジタルＢＳチューナを内蔵したデジタル放送受信機を新たに用意する必要があり、費用が高くなる。他方、新たに用意すること無く、デジタルＢＳ放送に対応したチューナのみを別に購入し、デジタルＢＳチューナを内蔵しないデジタル放送受信機と接続すれば、費用は安くて済む。以上で述べたことは、近年の新しい方式の放送形態である地上波デジタル放送が視聴したい場合も同様である。
【０００４】
【発明が解決しようとする課題】
しかし、新しいデジタル放送受信機を用意せず、従来のデジタル放送受信機に専用のチューナを新たに用意して接続する場合、費用は安くて済むが、電源や接続配線の処理が増えることになり、接続操作が複雑となるという問題があった。
【０００５】
本発明は、以上述べた問題点に鑑みてなされたものであり、新たに視聴したい放送に対応するチューナをデジタル放送受信機に簡単に接続でき、容易に視聴することができるデジタル放送受信機及びカード型チューナを提供することを目的とする。
【０００６】
【課題を解決するための手段】
前述した課題を解決するために、
請求項１の記載に係る発明では、
インタフェース部と、フロントエンド部と、制御部と、バックエンド部から構成されるデジタル放送受信機であって、
ＰＣＭＣＩＡの規格に従った配列および形状を有するインタフェース部に、ピンと電極部を複数個設けたことを特徴とし、
請求項２の記載に係る発明では、
請求項１に記載されたデジタル放送受信機において、
複数個のピンを２列に設けると共に、両列の４つのピンの真ん中に電極部を設けたことを特徴とし、
請求項３の記載に係る発明では、
インタフェース部と、フロントエンド部と、制御部と、バックエンド部から構成されるデジタル放送受信機であって、
ＰＣＭＣＩＡの規格に従った配列および形状を有するインタフェース部に、ピンと嵌合穴を交互に複数個設けたことを特徴とし、
請求項４の記載に係る発明では、
インタフェース部と、フロントエンド部と、制御部と、バックエンド部から構成されるデジタル放送受信機であって、
ＰＣＭＣＩＡの規格に従った配列および形状を有するインタフェース部に、１つ以上の絶縁体を介して複数の接合部を設けたピンを複数個設けたことを特徴とし、
請求項５の記載に係る発明では、
請求項１乃至請求項４に記載されたデジタル放送受信機において、
デジタル放送受信機自身が受けたアンテナからの放送信号をフロントエンド部を介してインタフェース部に送信することを特徴とし、
請求項６の記載に係る発明では、
コネクタ部と、チューナ回路と、デジタル信号出力回路から構成されるカード型チューナであって、
ＰＣＭＣＩＡの規格に従った配列および形状を有するコネクタ部に、嵌合穴と電極部を交互に複数個設けたことを特徴とし、
請求項７の記載に係る発明では、
請求項６に記載されたカード型チューナにおいて、
複数個の嵌合穴を２列に設けると共に、両列の４つの嵌合穴の真ん中に電極部を設けたことを特徴とし、
請求項８の記載に係る発明では、
コネクタ部と、チューナ回路と、デジタル信号出力回路から構成されるカード型チューナであって、
ＰＣＭＣＩＡの規格に従った配列および形状を有するコネクタ部に、ピンと嵌合穴を交互に複数個設けたことを特徴とし、
請求項９の記載に係る発明では、
コネクタ部と、チューナ回路と、デジタル信号出力回路から構成されるカード型チューナであって、
ＰＣＭＣＩＡの規格に従った配列および形状を有するコネクタ部に、１つ以上の絶縁体を介して複数の接合部を設けた嵌合穴を複数個設けたことを特徴とし、
請求項１０の記載に係る発明では、
請求項６乃至請求項９に記載されたカード型チューナにおいて、
アンテナからの放送信号を受ける外部入力端子を設けたことを特徴とする。
【０００７】
【発明の実施の形態】
本発明のデジタル放送受信機及びカード型チューナの実施例を、図１〜図８を用いて説明する。図１は本発明のデジタル放送受信機１の構成を示す図であり、図２はデジタル放送受信機１とカード型チューナ２の接続の第１実施例を示す図であり、図３、図４は第１実施例の変形例を示す図であり、図５は図２においてカード型チューナ２をデジタル放送受信機１との接合面側から見た図であり、図６はデジタル放送受信機１とカード型チューナ２の接続の第２実施例を示す図であり、図７はデジタル放送受信機１とカード型チューナ２の接続の第３実施例を示す図であり、図８は図７においてデジタル放送受信機１とカード型チューナ２を接合した場合のカード型チューナ２の側面から見た詳細図である。
【０００８】
図１において、本発明のデジタル放送受信機１は、インタフェース部１０と、フロントエンド部１１と、制御部１２と、バックエンド部１３から構成される。フロントエンド部１１にはチューナ、例えば、デジタルＢＳ放送用のチューナが搭載されている。アンテナからの放送信号をフロントエンド部１１で受け、トランスポートストリーム（デジタル信号）を生成する。生成されたこのトランスポートストリームは、バックエンド部１３に渡されて、映像、音声信号が生成される。その映像、音声信号を、テレビジョンなどの受像機に出力することにより、視聴することができる。これら一連の処理、例えば、選局や本体の電源管理等に必要な制御は、制御部１２で行う。本発明のカード型チューナ２は、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）規格に準じた形状と端子配列を有するコネクタ部２０とチューナ回路とデジタル信号出力回路から構成される。
【０００９】
デジタル放送受信機１のフロントエンド部１１に搭載されているデジタルＢＳ放送用のチューナで視聴できない放送、例えば、地上波デジタル放送が視聴したい場合は、地上波デジタル放送用のチューナが搭載されているカード型チューナ２を、デジタル放送受信機１に装着すればよい。その装着は、具体的には、カード型チューナ２のコネクタ部２０をデジタル放送受信機１のインタフェース部１０に装着することにより為される。本発明のカード型チューナ２は、実質的にフロントエンド部１１のチューナと同様の機能を有し、カード型チューナ２に設けた図示しない外部入力端子（図１の左端）から入力して来たアンテナからの放送信号をカード型チューナ２内のチューナ回路で受けてトランスポートストリームを生成し、このトランスポートストリームをコネクタ部２０及びインタフェース部１０を介してバックエンド部１３に渡し、映像、音声信号を生成する。なお、デジタル放送受信機１自身が受けたアンテナからの放送信号をフロントエンド部１１を経由させ、インタフェース部１０及びコネクタ部２０を介してカード型チューナ２内のチューナ回路で受けるようにしてもよい。カード型チューナ２を使用する場合は、カード型チューナ２を装着した旨、装着したカード型チューナ２自身のチューナの内容の認識、アンテナからの放送信号を前記外部入力端子から受けるかフロントエンド部１１から受けるかの区別等を制御部１２で行う。
【００１０】
本発明のデジタル放送受信機１は、カード型チューナ２をデジタル放送受信機１に機械的に装着するだけで、前に述べた、フロントエンド部１１からの放送信号、制御部１２との間の制御などの信号、及びバックエンド部１３へのトランスポートストリーム信号について、カード型チューナ２と、デジタル放送受信機１のフロントエンド部１１、制御部１２、バックエンド部１３との間の電気的接続を為すために、デジタル放送受信機１にインタフェース部１０を設けたものである。又、このインタフェース部１０に対応するコネクタ部２０をカード型チューナ２の一辺に設ける。
【００１１】
インタフェース部１０とコネクタ部２０の実施例について、以下述べる。図２〜図５は第１実施例であり、図６は第２実施例であり、図７、図８は第３実施例である。
【００１２】
第１実施例では、図２に示すように、デジタル放送受信機１のインタフェース部１０には、電気的接続だけを行う電極部１０１と、機械的装着と電気的接続を兼ねたピン１０２を設け、これに対応するように、カード型チューナ２のコネクタ部２０には、電極部２０１と、機械的装着と電気的接続を兼ねた嵌合穴２０２を設ける。ここで、ピン１０２と嵌合穴２０２の配列及び形状は、それぞれＰＣＭＣＩＡ規格に順ずる構成としている。従って、図２に示すように、電極部１０１はＰＣＭＣＩＡ規格で配列されたピン１０２の間に交互に設けられ、同様に、電極部２０１は同規格で配列された嵌合穴２０２の間に交互に設けられることになる。そして、例えば、インタフェース部１０のピン１０２とコネクタ部２０の嵌合穴２０２からなる伝達系を、カード型チューナ２を使用するために欠くことができない基本的機能の信号用、例えば、制御部１２との間の制御などの信号用、及びバックエンド部１３へのトランスポートストリーム信号用に割り当て、且つ、インタフェース部１０の電極部１０１とコネクタ部２０の電極部２０１からなる伝達系を、必ずしも必須とは限らない機能増設時の信号用、例えば、デジタル放送受信機１自身が受けたアンテナからの放送信号の伝達用或いは選局チャンネルの切替を自動で設定するための制御信号の伝達用に割り当てるようにすることが考えられる。
【００１３】
このようにすることにより、図２に示すように、インタフェース部１０に電極部１０１を有するデジタル放送受信機１と、図３に示すように、インタフェース部１０に電極部１０１を有しないデジタル放送受信機１（デジタル放送受信機１自身が受けたアンテナからの放送信号をカード型チューナ２が使用するのに必要な諸要素を省いたもの。従って、電極部１０１を有するものに比べてコストが低くて済む）の２種類のデジタル放送受信機１を選択して使用することが可能になり、或いは、図２に示すように、コネクタ部２０に電極部２０１を有するカード型チューナ２と、図４に示すように、コネクタ部２０に電極部２０１を有しないカード型チューナ２（アンテナからの放送信号を前記外部入力端子からだけ受けるようにし、電極部２０１を使用するのに必要な諸要素を省いたもの。従って、電極部２０１を有するものに比べてコストが低くて済む）の２種類のカード型チューナ２を選択して使用することが可能になる。それぞれの電極部２０１は、図５に示すように、上下左右の４つの嵌合穴２０２の真ん中に設けて、嵌合穴２０２の伝達系との電気的短絡事故や隣接する信号の干渉を防止している。なお、図５に示す、横方向に２列で並列に設けてあるそれぞれの嵌合穴の配列と形状は、ＰＣＭＣＩＡの規格に従った構成としている。
【００１４】
第２実施例では、図６に示すように、デジタル放送受信機１のインタフェース部１０とカード型チューナ２のコネクタ部２０の双方に、機械的装着と電気的接続を兼ねたピン１０２、２０３を設け、これに対応するように、インタフェース部１０には嵌合穴１０３をコネクタ部２０には嵌合穴２０２を、設ける。ピンと嵌合穴を交互に設けることにより、ピン又は嵌合穴それぞれを一方だけに設けることに比較して、より多数設けることができるし機械的装着力も強くなる。図６に示す、それぞれのピン１０２と嵌合穴２０２の配列と形状は、前と同様にＰＣＭＣＩＡの規格に従った構成である。
【００１５】
第３実施例では、図７、図８に示すように、デジタル放送受信機１のインタフェース部１０に、第１の接合部１０４と、絶縁体を介して第２の接合部１０５と、を設けたピン１０２を、カード型チューナ２のコネクタ部２０に、第１、第２の接合部１０４、１０５と機械的に装着し且つ電気的に接続する第１の接合部２０４と、絶縁体を介して第２の接合部２０５と、を設けた嵌合穴２０２を、設ける。１つのピン、１つの嵌合穴に、それぞれ複数の接合部を設けることにより、少ないピンと嵌合穴で多数の通信回路が得られる。実施例では、ピンと嵌合穴を２分割したが、３分割以上も有り得る。図７に示す、それぞれのピン１０２と嵌合穴２０２の配列と形状は、前と同様にＰＣＭＣＩＡの規格に従った構成である。
【００１６】
又、第１実施例及び第３実施例ではカード型チューナ２にピンを設けていないので、カード型チューナ２を携帯している時に、ピンを引っかける等によるピンの損傷や損失に基づく装着不良の虞はない。
【００１７】
【発明の効果】
以上述べたように、本発明によれば、新たに視聴したい放送に対応するチューナをデジタル放送受信機に簡単に接続でき、容易に視聴することができる。又、デジタル放送受信機或いはカード型チューナを共用可能としたので、電極部を有しないカード型チューナ或いはデジタル放送受信機が使用可能となり、コストを抑えることができる。又、ピンと嵌合穴を交互に設けることにより、信号線がより多数設けることができ、機械的装着力も強くすることができると共に、隣接する信号間の干渉を軽減することができる。又、１つのピン、１つの嵌合穴に、それぞれ複数の接合部を設けることにより、少ないピンと嵌合穴で多数の通信回路を得ることができる。又、カードチューナとデジタル放送受信機に設けた該カードチューナ用インターフェイスの形状と端子の配列をＰＣＭＣＩＡの規格に従った構成としたので、該ＰＣＭＣＩＡの規格に従ったインターフェースを有する各種の機器に使用してデジタル放送の受信が可能となる。
【図面の簡単な説明】
【図１】本発明のデジタル放送受信機の構成を示す図である。
【図２】デジタル放送受信機１とカード型チューナ２の接続の第１実施例を示す図である。
【図３】図２の第１実施例の第１変形例を示す図である。
【図４】図２の第１実施例の第２変形例を示す図であり、
【図５】図２のカード型チューナ２を右側から見た図である。
【図６】デジタル放送受信機１とカード型チューナ２の接続の第２実施例を示す図である。
【図７】デジタル放送受信機１とカード型チューナ２の接続の第３実施例を示す図である。
【図８】図５のデジタル放送受信機１とカード型チューナ２を接合し下側から見た詳細図である。
【符号の説明】
１　受信機本体
２　カード型チューナ
１０　カードインタフェース部
１１　フロントエンド部
１２　制御部
１３　バックエンド部
２０　コネクタ部
１０１　インターフェース部１０の電極部
１０２　インターフェース部１０のピン
１０３　インターフェース部１０の嵌合部
１０４　インターフェース部１０のピンの第１の接合部
１０５　インターフェース部１０のピンの第２の接合部
２０１　コネクタ部２０の電極部
２０２　コネクタ部２０の嵌合穴
２０３　コネクタ部２０のピン
２０４　コネクタ部２０嵌合部の第１の接合部
２０５　コネクタ部２０嵌合部の第２の接合部
【図１】
2004056371.tif 000003
【図２】
2004056371.tif 000004
【図３】
2004056371.tif 000005
【図４】
2004056371.tif 000006
【図５】
2004056371.tif 000007
【図６】
2004056371.tif 000008
【図７】
2004056371.tif 000009
【図８】
2004056371.tif 000010